(57)【要約】      （修正有）【課題】大津波に遭遇した場合、駐車場が水面に浮き上がり、大津波に対応することが出来る大津波救命避難用の駐車場を提供する。【解決手段】地面に構築した基礎構造物８の上部に、周囲を鋼板９で囲い、床部を面格子状の鋼板６で塞ぎ、上面を自動車１を駐車することが出来るように床材を取付け、内部に発泡スチロールを嵌め込むように構成した浮力室を載せ、浮力室には自動車が出入り出来るようにスロープを配置し、大津波が押し寄せて来る際、シートベルトのタングプレート３を浮力室の鋼板に固定した固定金具５に取付け、自動車に乗車してドアを閉め、ウェビング２をウェビングたるみ巻取り装置に巻き付け、ウェビングたるみ巻取り装置のハンドルを回転させウェビングのたるみを取り除き、自動車に装着されているシートベルトで自動車を浮力室に固定し、大津波の上に浮び上がり避難することが出来る大津波救命避難用の駐車場を提供する。【選択図】図１
2015074437.tif 000002
【特許請求の範囲】
【請求項１】
地面に構築した基礎構造物の上部に、周囲を鋼板で囲い、床部を面格子状の鋼板で塞ぎ、上面に自動車を駐車することが出来るように床材を取付け、内部に発泡スチロールを嵌め込むように構成した浮力室を載せ、浮力室には自動車が出入り出来るようにスロープを設置し、津波が押し寄せてくる際、シートベルトのタングプレート（Ｔ字型の金具）を浮力室の床材に取付けた固定金具に取付け、自動車に乗車してドアを閉め、ウェビング（ストラップ）をウェビングたるみ巻取り装置に巻き付け、ウェビングたるみ巻取り装置のハンドルを回転させウェビング（ストラップ）のたるみを取り除き、自動車に装着されているシートベルトで浮力室に自動車を固定したことを特徴とする津波救命カーシェルター（シートベルト固定式）。
【請求項２】
ウェビングたるみ巻取り装置は、ウェビング（ストラップ）を挟み込むウェビング挿入部と、挟み込んだウェビング（ストラップ）を巻き付けるグリップ付ローラー部と、グリップ付ローラー部に固定した逆回転防止ギアと回転ハンドルで構成したことを特徴とする請求項１に記載の津波救命カーシェルター（シートベルト固定式）。
【請求項３】
自動車を駐車させるための床材を鋼板で構築したことを特徴とする請求項１又は２のいずれか１項に記載の津波救命カーシェルター（シートベルト固定式）。
【請求項４】
自動車を駐車させるための床材を木材で構築したことを特徴とする請求項１又は２のいずれか１項に記載の津波救命カーシェルター（シートベルト固定式）。
【請求項５】
浮力室の上部にガレージを構築し、浮力室の四隅に基礎構造物と一体に４本のポールを垂直に立て、４本のポールに対置するガレージの四隅の柱の上部と下部に、ポールを緩く挿入することが出来るポールガイド金具を取付けたことを特徴とする請求項１乃至４のいずれか１項に記載の津波救命カーシェルター（シートベルト固定式）。
【発明の詳細な説明】
【技術分野】
【０００１】  この発明は、平時には自動車の駐車場として活用し、大地震による大津波発生時には、駐車場に駐車した自動車の中に避難し、その駐車場が大津波の水の力で水面に浮上することにより、安全に避難するための大津波避難用の駐車場の構造に関するものである。
【背景技術】
【０００２】  平成２３年３月１１日に発生した東日本大震災と、それに伴って発生した大津波により亡くなった死者と行方不明者の合計は２万人以上にも及び、今後も、東海トラフ地震等の大地震や大津波が発生するおそれのあることが指摘されており、災害時に自ら救命するための対策を準備しておくことが不可欠になっている。【０００３】  大地震が発生した際、津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、大地震発生から大津波が到達するまでの短時間の間に、ビル等の長い階段を上って高い位置にある屋上へと避難するのは非常に大変なことであり、また、車で避難する場合には交通渋滞等により避難場所までの移動が困難な状況となり、避難途中に津波に巻き込まれて死亡する危険性が高かった。【０００４】  さらに、昨年８月に示された南海トラフ巨大地震の被害想定では、死者は最大３２万人、建物全壊は２３８万棟と見込まれたことから、鉄骨構造で十数メートルの高さのタワー型避難台の建築も提案されている。しかし高齢者などが短時間の内に十数メートルの高さの階段を登ることが出来るかどうか疑問も残ると共に、津波の高さが十数メートル以内であるかどうかの保証も無いため、普及する段階まで至っていない。【０００５】  このような実情に鑑みて、津波発生時において短時間で避難できる簡易なシェルターが、例えば、特許文献１で提案されている。これは家屋に対して一体に付設されて該家屋からの出入が可能なシェルターであって、大津波来襲時において家屋からシェルターを分離させるための分離手段と、家屋から分離させたシェルターを密閉する密閉手段とを具備し、家屋から分離させた状態において水に浮くシェルターであった。【０００６】  しかしながら、特許文献１は、家屋全体が高波に飲み込まれてしまうと、シェルターも家屋に押しつぶされて水面に浮上することが出来ない恐れがあると共に、シェルター自体が水面に対して水平を保って上昇出来ない可能性があり、シェルターが大津波に飲み込まれて横転したり転覆したりして避難者が負傷する恐れがあるため、津波避難用の救命シェルターとしては問題が残った。【０００７】  さらに、例えば特許文献２では、建物の屋根部が密閉空間を有するシェルターで形成され、該シェルターが居住部の上方に配置された構造で、上部を屋根形状に形成すると共に、下部を略船底形状に形成した密閉可能なシェルターで、居住部とシェルターとが取付手段を介して固定され一体化しているシェルターであった。【０００８】  しかしながら、特許文献２は、密閉空間を有するシェルターのため、平時に居住空間として使用するには、採光、通風の面で問題が残ると共に、大きな津波が押し寄せて来た際には、シェルターが大津波に巻き込まれ、シェルターが横転したり転覆してしまう危険性があった。【０００９】  さらに、地中固定された支柱に連結した油圧シリンダーの駆動により避難タワーを昇降させる技術が、例えば特許文献３で提案されているが、昇降可能の高さを超えた大津波が押し寄せてきた場合の対策とし��は不十分であった。
【先行技術文献】
【特許文献】
【００１０】
【特許文献１】特開２００７−２７７９９８
【特許文献２】特開２０１２−２３３３０６
【特許文献３】特開２００６−１１２０８８
【発明の概要】
【発明が解決しようとする課題】
【００１１】  本発明は、上記した従来技術の問題点を解決すべくなされたもので、大津波用に避難カプセル等の避難具を設置しておいても避難カプセル等を使用することは極めて稀で、避難カプセル等を購入する費用と設置場所に問題が残るため、平時においては、駐車場として活用することを前提とし、大津波に遭遇した場合でも自動車が駐車場から落ちること無く、駐車場が水面に浮き上がり、大津波にも対応することが出来る大津波救命避難用の駐車場を提供することを課題とする。
【課題を解決するための手段】
【００１２】  かかる課題を解決するため、請求項１に記載の発明は、地面に構築した基礎構造物の上部に、周囲を鋼板で囲い、床部を面格子状の鋼板で塞ぎ、上面に自動車を駐車することが出来るように床材を取付け、内部に発泡スチロールを嵌め込むように構成した浮力室を載せ、浮力室には自動車が出入り出来るようにスロープを設置し、津波が押し寄せてくる際、シートベルトのタングプレート（Ｔ字型の金具）を浮力室の床材に取付けた固定金具に取付け、自動車に乗車してドアを閉め、ウェビング（ストラップ）をウェビングたるみ巻取り装置に巻き付け、ウェビングたるみ巻取り装置のハンドルを回転させウェビング（ストラップ）のたるみを取り除き、自動車に装着されているシートベルトで浮力室に自動車を固定したことを特徴とする。【００１３】  請求項２に記載の発明は、請求項１に記載の構造に加え、ウェビングたるみ巻取り装置は、ウェビング（ストラップ）を挟み込むウェビング挿入部と、挟み込んだウェビング（ストラップ）を巻き付けるグリップ付ローラー部と、グリップ付ローラー部に固定した逆回転防止ギアと回転ハンドルで構成したことを特徴とする。【００１４】  請求項３に記載の発明は、請求項１又は２のいずれか１項に記載の構造に加え、自動車を駐車させるための床材を鋼板で構築したことを特徴とする。【００１５】  請求項４に記載の発明は、請求項１又は２のいずれか１項に記載の構造に加え、自動車を駐車させるための床材を木材で構築したことを特徴とする。【００１６】  請求項５に記載の発明は、請求項１乃至４のいずれか１項に記載の構造に加え、浮力室の上部にガレージを構築し、浮力室の四隅に基礎構造物と一体に４本のポールを垂直に立て、４本のポールに対置するガレージの四隅の柱の上部と下部に、ポールを緩く挿入することが出来るポールガイド金具を取付けたことを特徴とする。
【発明の効果】
【００１７】  請求項１に記載の発明によれば、地面に構築した基礎構造物の上部に、周囲を鋼板で囲い、床部を面格子状の鋼板で塞ぎ、上面に自動車を駐車することが出来るように床材を取付け、内部に発泡スチロールを嵌め込むように構成した浮力室を載せ、浮力室には自動車が出入り出来るようにスロープを設置し、津波が押し寄せてくる際、シートベルトのタングプレート（Ｔ字型の金具）を浮力室の床材に取付けた固定金具に取付け、自動車に乗車してドアを閉め、ウェビング（ストラップ）をウェビングたるみ巻取り装置に巻き付け、ウェビングたるみ巻取り装置のハンドルを回転させウェビング（ストラップ）のたるみを取り除き、自動車に装着されているシートベルトで浮力室に自動車を固定したことにより、水中に長時間沈めても表面に水が付着するだけで、吸水量が非常にわずかな発泡スチロールを鋼板で囲い、駐車場を水面上に浮かせるための浮力材として活用したため、簡単な構造と安価な費用で、津波に浮く駐車場を構築することが可能になると共に、平時においては駐車場として活用し、大地震で大津波が押し寄せてくる際には、駐車場に駐車している自動車のシートベルトのタングプレート（Ｔ字型の金具）を浮力室に取付けた固定金具に取付け、車内に避難してドアを閉め、シートベルトのウェビング（ストラップ）のたるみを取り除くことにより自動車が浮力室に固定され、大津波で浮力室が水面に持ち上げられ、浮力室が揺れた場合においても、自動車が浮力室から滑り落ちること無く、簡単な構造で津波避難装置としても活用することが出来る駐車場を安価に提供することが可能となった。【００１８】  請求項２に記載の発明によれば、ウェビングたるみ巻取り装置は、ウェビング（ストラップ）を挟み込むウェビング挿入部と、挟み込んだウェビング（ストラップ）を巻き付けるグリップ付ローラー部と、グリップ付ローラー部に固定した逆回転防止ギアと回転ハンドルで構成したことにより、動力を必要とせず、自動車の車内で、簡単な操作でシートベルトのウェビング（ストラップ）のたるみを巻き取ることが出来るようになったため、シートベルトで自動車を浮力室に固定することが可能となった。【００１９】  請求項３に記載の発明によれば、自動車を駐車させるための床材を鋼板で構築したことにより、耐久性を向上させることが可能となった。【００２０】  請求項４に記載の発明によれば、自動車を駐車させるための床材を木材で構築したことにより、大津波により浮力室が波の上に持ち上げられて浮力室が傾いた場合、鋼板で構築した床に比べて木材はタイヤとの摩擦が大きいため、鋼板に比べ自動車の後輪タイヤが横滑りするのを減少させることが可能となった。【００２１】  請求項５に記載の発明によれば、浮力室の上部にガレージを構築し、浮力室の四隅に基礎構造物と一体に４本のポールを垂直に立て、４本のポールに対置するガレージの四隅の柱の上部と下部に、ポールを緩く挿入することが出来るポールガイド金具を取付けたことにより、大津波が押し寄せて来た場合でも、ポールガイド金具にローラーを内臓したことにより、例えば、船が大波を乗り越える時のように、ガレージの一端が大津波により持ち上がるような場合でも、ポールとポールガイド��具が擦れて噛付き状態（固着状態）になること無く、ガレージを概ね水平状態を保った状態で浮上させることが出来るようになり、そのためガレージが横転したり転覆する危険が無くなり、安全に避難することが可能となった。
【実施例１】
【００２２】  以下、この発明の実施の形態１について説明する。
［発明の実施の形態１］【００２３】  図１乃至図８には、この発明の実施の形態１を示す。【００２４】  図１と図２には、本発明の津波救命カーシェルター（シートベルト固定式）の、地面に構築した基礎構造物８の上部に周囲を鋼板で囲い、内部に発泡スチロールを嵌め込んだ浮力室７を載せ、浮力室７に自動車１が出入り出来るようにスロープ１６を設置し、浮力室７の上部の駐車場床鋼板６の上に自動車１を駐車し、自動車１の運転席と助手席に取付けられたシートベルトのタングプレート（Ｔ字型の金具）を運転席ドアと助手席ドアの下部から車外に取出し、タングプレート（Ｔ字型の金具）を取付金物（リングキャッチ）４に取付け、さらに、取付金物（リングキャッチ）４を駐車場床鋼板６に取付けられた固定金具５に取付けた状態を、図１では自動車１の正面から示すと共に、図２では立体図で示す。【００２５】  さらに、エンジンが自動車１の前部に配置される一般的な乗用車の場合では、前輪タイヤにかかる荷重と後輪タイヤにかかる自動車１の荷重の割合は、概ね６対４のため、自動車１を駐車場床鋼板６の上部に駐車した場合、浮力室前部１３と浮力室後部１４にかかる車重が異なり、そのため、図６で説明する浮力室７の中に嵌め込む発泡スチロール５２の分量を、浮力室後部１４に対して浮力室前部１３に多く嵌め込むことにより、浮力室７が水面に浮上した際、浮力室７の上面の駐車場床鋼板６が水面に対して水平状態を保つことが出来るようになり、浮力室７が横転したり転覆する危険性が少なくなる。【００２６】  図３乃至図５には、運転席と助手席に備えつけられたシートベルトで自動車を駐車場に固定する際、リトラクター（ベルト巻取り装置）２２に巻き付けられているウェビング（ストラップ）２のたるみ（車種によって異なるが、概ね６０〜８０センチメートル）を車内で人間が巻き取り、シートベルトをたるみの無い状態にするための、ウェビングたるみ巻取り装置２１を示す。【００２７】  図３では、車内のシートベルトの先端に取付けられたタングプレート（Ｔ字型の金具）３を車外に持ち出し、タングプレート（Ｔ字型の金具）３に取付金物（リングキャッチ）４を取付け、さらに取付金物（リングキャッチ）４を駐車場床鋼板６に取付けた固定金物５に取付けた状態を示す。一般的に自動車の３点式シートベルトは、ウェビング（ストラップ）２の一端が、シート横下の車ボディのウェビング（ストラップ）取付部２３に固定され、他端がショルダーベルト・アンカー２０を経由して、伸び縮み自在にリトラクター（ベルト巻取り装置）２２に巻き取られ、ウェビング（ストラップ）取付部２３とショルダーベルト・アンカー２０の間のウェビング（ストラップ）２をタングプレート（Ｔ字型の金具）３のスリット部（図示せず）に移動自在に通し、タングプレート（Ｔ字型の金具）３を座席２４の横に固定されたバックル２５に差し込むことにより、ウェビング（ストラップ）２が人間２６の胸部と腰部に装着され、緊急時には、伸び縮み自在にリトラクター（ベルト巻取り装置）２２に巻き取られているウェビング（ストラップ）２を、リトラクター（ベルト巻取り装置）２２がロックし、人間２６の胸部と腰部を座席２４に押え付けられるように構成されている��【００２８】  このように、人間が座席に座りシートベルトを装着した際、平時においてはウェビング（ストラップ）２は、リトラクター（ベルト巻取り装置）２２により、たるみが無いように、常に一定の強さでリトラクター（ベルト巻取り装置）２２に巻き込まれた状態を維持するため、リトラクター（ベルト巻取り装置）２２の内部には、普通乗用車の場合、概ね６０〜８０センチメートルのウェビング（ストラップ）２のたるみ部分が巻き取られており、本発明のように、シートベルトのタングプレート（Ｔ字型の金具）３を駐車場床鋼板６に取付けた取付金物（リングキャッチ）４に取付け、自動車１を駐車場床鋼板６に固定しようとすると、例えば、大津波で駐車場が揺すられて、自動車が横滑りした際、リトラクター（ベルト巻取り装置）２２の中の、概ね６０〜８０センチメートル巻き取られているウェビング（ストラップ）２が引っ張られて伸びてしまうため、シートベルトで自動車１を駐車場床鋼板６に固定することは不可能であった。【００２９】  そのため、本発明では、図３乃至図５に示すように、乗車した人間がウェビングたるみ巻取り装置２１を操作することにより、リトラクター（ベルト巻取り装置）２２の内部に巻き取られているウェビング（ストラップ）２を巻取り、ウェビング（ストラップ）２のたるみを取り除くことにより、自動車１を駐車場床鋼板６に固定することを可能にした。ちなみに、シートベルトのトップメーカーのＴＡＫＡＴＡがホームページに掲載しているシートベルトの強度に対する説明では、「シートベルトのベルト部分はウェビングと呼ばれ、約３００本のポリエステル製の糸をこまかく織り込んで１本のベルトを作っています。これだけ多くの糸を織り込むことでベルトの強度を高め、約３トンの荷重にも耐えられるのです。」と説明している。【００３０】  図３では、本発明におけるシートベルトの取付け方法と、ウェビングたるみ巻取り装置２１をシートベルトのウェビング（ストラップ）２に挟み込む位置を示す。人間２６が座席２４に着席した状態でシートベルトを装着せず、胸位置でウェビング（ストラップ）２をウェビングたるみ巻取り装置２１に挟み込むことにより、両手でウェビングたるみ巻取り装置２１を簡単に操作することが出来る。【００３１】  図４では、ウェビングたるみ巻取り装置２１を正面図と側面図で示す。ウェビングたるみ巻取り装置２１は、ウェビング（ストラップ）２を巻き取るため縦長にウェビング挿入口３６が開口した平板状の台座３７と、その台座３７を手４５で持つための円形状の形状をした手持ち固定部３８と、台座３７に垂直に固定された平板状の取付板３９に取付けた軸３５には、ウェビング（ストラップ）２を巻き付けるため、例えば、万年筆のキャップにも取付けられている、グリップ４２を取付けた円形状のウェビング巻込ローラー４０と、円周部分に逆回転を防止する歯車を形成した逆回転防止ギア４１が軸３５に固定され、さらに、逆回転防止ギア４１には逆回転を防止するため、先端部が逆回転防止ギア４１に引っ掛かるように三角形状に形成された逆回転防止ストッパー３２が、スプリング３４により逆回転防止ギア４１に押し付けられるように取付けられると共に、軸３５にはウェビング巻込ローラー４０と逆回転防止ギア４１を回すための回転ハンドル４３が取付けられ、さらに逆回転防止ストッパー３２には逆回転防止ストッパー３２と逆回転防止ギア４１との結合を解除させるため、指で逆回転防止ストッパー３２を引っ張ることが出来るように、リング状のストッパー解除リング３３が取付けられる。【００３２】  このように構成したウェビングたるみ巻取り装置２１に、図４ｂで示すように、ウェビング挿入口３６からウェビング（ストラップ）２を挿入してウェビング巻込ローラー４０に巻き付け、回転ハンドル４３を矢印３１方向に回すことにより、ウェビング巻込ローラー４０に固定したグリップ４２も同様に回転して、ウェビング（ストラップ）２がウェビング巻込ローラー４０に巻き取られ、図３で説明したリトラクター（ベルト巻取り装置）２２に巻き込まれているウェビング（ストラップ）２のたるみが無くなることにより、シートベルトで自動車を駐車場に固定することが可能となった。【００３３】  図５は、図４で説明したウェビングたるみ巻取り装置２１を立体図で示す。このようにウェビングたるみ巻取り装置２１を構成することにより、シートベルトのウェビング（ストラップ）２のたるみを取り除くことが可能となり、大津波の際の緊急避難時において、簡単な操作で自動車を駐車場に固定し、自動車の室内に避難することにより、大津波から安全に避難することが可能になった。【００３４】  図６は、図２で説明した基礎構造物８とスロープ１６と、浮力室７を分解図で示す。地面に構築した基礎構造物８の上部に、四隅に角形鋼管で形成した支柱５５を配置し、その角形鋼管と隣り合う角形鋼管の側面の上下部分を、角形鋼管で上部梁５３と下部梁５６を溶接して接合し、底部は面格子状になるように下部梁５６に対して平鋼材を溶接して床梁５４を形成し、上部梁５３と下部梁５６の外側の側面には平板状の鋼板９を溶接して取付け、このように構成した枡形状の箱の内側に、直方体の形状をした発泡スチロール５２を嵌め込み、さらに上部梁５３の上部には、下部に補強用のＨ形鋼５１を取付けた駐車場床鋼板６が取付けられる。【００３５】  図７は、図６で説明した浮力室７を組み立て、駐車場床鋼板６に図２で説明した固定金具５を取付け、自動車１のシートベルトに取付けられたタングプレート（Ｔ字型の金具）３を取付金物（リングキャッチ）４で固定金物５に取付け、スロープ１６を設置し、さらに、浮力室６の上部に、四隅に柱６７を配置したガレージ５７を構築し、浮力室７の四隅に基礎構造物６６と一体となるように固定した４本のポール５８を垂直に立て、４本のポール５８に対置するガレージ５７の柱６７の上部と下部の２箇所に、ポール５８を緩く挿入することが出来るポールガイド金具５９を取付けた状態を立体図で示す。【００３６】  ガレージ５７の柱６７の上部と下部の２箇所に取付けられたポールガイド金具５９は、拡大図７で示すように、円筒状のポール５８を挿入することが出来るように、中心部に四角形状の開口部を開けた略直方体の形状をしたガイドボックス６２と、そのガイドボックス６２の四角形状の開口部の内側に出っ張るように取付けられた２個のローラー６０、６３で構成され、ガイドボックス６２にはポールガ��ド金具５９をガレージ５７の柱６７に固定するための取付板６１が取付けられる。このようにガイドボックス６２に２個のローラー６０、６３を取付けることにより、ガレージ５７が大津波により持ち上げられた際、ガレージ６７の一方が大津波により持ち上げられるような事態が生じた場合でも、ガイドボックス６２とポール５８が擦れて噛付き状態（固着状態）になるのを防ぎ、ガイドボックス６２がポール５８に対してスムーズに上下移動することが可能となった。【００３７】  図８は、図７で説明したガレージ５７が大津波により持ち上げられ、浮力室７が水面６８の下に沈み、ガレージ５７が自動車１と共に大津波の水面６８に浮び上がった状態を示す。このように津波の高さが低い（１〜２メートル）場合には、図８で示すようにポールガイド金具５９がポール５８から外れないため、津波の水が引いた後は、駐車場は元の位置に戻ると共に、津波の水の高さがポール５８より高くなった場合は、ポールガイド金具５９がポール５８から外れ、駐車場は津波の水の上に浮び流される。このようにポールガイド金具５９とポール５８を構成したことにより、どんなに高い大津波が押し寄せて来ても安全に避難することが可能となった。【００３８】  大地震に遭遇した際には、いち早く、図１で説明したように自動車１に取付けられたタングプレート（Ｔ字型の金具）３を取付金具（リングキャッチ）４で駐車場床鋼板６に取付けられた固定金具５に取付け、図７で説明したようにガレージ５７に駐車した自動車１の中に避難し、図３乃至図５で説明した、シートベルトのウェビング（ストラップ）２のたるみを、ウェビングたるみ巻取り装置２１で巻き取ることにより、自動車１は駐車場床鋼板６に固定され、最初の大津波が押し寄せ、例えば、船が大波を乗り越える時のように、ガレージ５７の一端が持ち上げられるような状態に陥った場合においても、発泡スチロール５２を嵌め込んだ浮力室７の浮力と、垂直に立てた４本のポール５８と、それぞれのポール５８に対置するガレージ５７の柱６７に取付けられたポールガイド金具５９により、ガレージ５７が概ね水平状態を保った状態で水面に浮上し、大津波が、最初の大波の状態から、水面が上昇して水面がポール５８の高さより高くなると、ガレージ５７の柱６７に固定したポールガイド金具５９が４本のポール５８から外れ、ガレージ５７は大津波の水面に浮上し流される。このように４本のポール５８とポールガイド金具５９でガレージ５７用の大津波浮上装置を構成することにより、ガレージ５７がスムーズに大津波の上に浮上し横転したり転覆する危険性が少なくなった。【００３９】  このようにガレージ５７の下部に発泡スチロール５２を嵌め込んだ浮力室７を配置し、浮力室７を鋼板９で囲ったことにより、ガレージ５７が大津波で流されている最中に、建物や電柱等に接触した場合においても、周囲を平板状の鋼板で囲われた浮力室７が一部損傷することはあっても、発泡スチロール５２は水をほとんど吸収しないため、ガレージ５７が水中に沈むことなく安全に避難することが可能となった。
【実施例２】
【００４０】  以下、この発明の実施の形態２について説明する。
［発明の実施の形態２］【００４１】  図９と図１０は、この発明の形態２を示す。上記発明の実施の形態１では、図６において、浮力室７は、地面に構築した基礎構造物８の上部に、四隅に角形鋼管で形成した支柱５５を配置し、その角形鋼管と隣り合う角形鋼管の側面の上下部分を、角形鋼管を用いて形成した上部梁５３と下部梁５６を溶接して接合し、底面は面格子状になるように下部梁５６に平鋼材を溶接して床梁５４を形成し、上部梁５３と下部梁５６の外側の側面には平板状の鋼板９を溶接して取付け、このように構成した枡形状の箱の内側に、直方体の形状をした発泡スチロール５２を嵌め込み、さらに上部梁５３の上部には、下部に補強用のＨ形鋼５１を取付けた駐車場床鋼板９を固定するように構成されていたが、この発明の実施の形態２では、地面に構築した基礎構造物（図示せず）の上部に、底鋼板（キーストンプレート）８２を乗せ、底鋼板（キーストンプレート）８２の上部には、一方が高く他方が低く斜面状に成形した発泡スチロール７８を設置すると共に、自動車の前部が乗る発泡スチロール７８の先端部には木材（ツーバイフォー）７９を複数枚縦に積み重ねて設置し、後端部には一本の木材（ツーバイフォー）８０を横に設置し、発泡スチロール７８の上部には自動車を駐車するため、複数枚の木材（ツーバイフォー）を横に並べて駐車場床木材（ツーバイフォー）７２を構成し、さらに、バッテリーと船外機を収納するためのバッテリー・船外機収納庫穴７３を開口し、先端部には船外機を取付けるための船外機取付用金物７４を取付け、さらに先端部を木材（ツーバイフォー）７９の上端に固定すると共に、後端部を木材（ツーバイフォー）８０に固定し、底鋼板（キーストンプレート）８２と駐車場床木材（ツーバイフォー）７２を固定するため、底鋼板（キーストンプレート）８２の両横面には底鋼板（キーストンプレート）８２の断面に嵌め込むことが出来るように柄杓形に形成した横押え鋼板８１、８３を取付け、駐車場床木材（ツーバイフォー）７２の両横面にも駐車場床木材（ツーバイフォー）７２の断面に嵌め込むことが出来るように柄杓形に形成した横押え鋼板７５、７６を取付け、図１０で示すように浮力室７１の両横を挟み込み固定する。【００４２】  図１０は、バッテリー・船外機収納庫８５に収納していた船外機８４を取り出し、船外機取付用金物７４に取付けた状態を示す。このように、常に船外機８４を駐車場のバッテリー・船外機収納庫８５に配置しておくことにより、大津波でガレージが沖合に流された場合においても、単独で無事に陸地まで戻って来ることが可能となった。なお、当社の実験データーでは約０．５馬力の電動船外機に５５Ａｈのバッテリーを装着してフルパワー（一般的な約０．５馬力の電動船外機にはスクリューの回転を最大から最小に切り替えることが出来るように１〜５段階の回転調整装置が船外機のハンドルに取付けられている）で船外機を可動させた場合、約４０分間運転させることが確認できた。【００４３】  このように浮力室７１を斜面形状に構成することにより、駐車場床木材（ツーバイフォー）７２の上部に駐車した、前部にエンジンを配置した自動車が大津波により波の上に浮び上がった際、浮力室７１の前部の重いエンジン部分が自動車の後部に比べて深く沈み込むため、斜面形状に構成した浮力室７１の表面の駐車場床木材（ツーバイフォー）７２が、水面に対して概ね水平状態を保った状態で浮くことが出来るようになると共に、さらに、浮力室７１を斜面形状に構成し、自動車が浮力室７１に進入する位置を低くしたため、浮力室７１に配置するスロープ７７を小型化することが可能となった。その他の構造に関しては、この発明の実施の形態１と同様である。【００４４】  以上、実施の形態に基づいて、本発明に係る津波救命カーシェルター（シートベルト固定式）について詳細に説明してきたが、本発明は、以上の実施の形態に限定されるものではなく、発明の趣旨を逸脱しない範囲において各種の改変をなしても、本発明の技術的範囲に属するのはもちろんである。【００４５】  図３において、タングプレート（Ｔ字型の金具）３と駐車場床鋼板６に取付けられた固定金具５を取付金物（リングキャッチ）４で取付けたが、取付金物（リングキャッチ）４に限定せず、ターンバックル等の接続金物を使用することも、もちろん可能である。【００４６】  図６において、浮力室７の底部を、平鋼材を面格子状になるように溶接して形成したが、浮力室７の底部には、図９で説明したようにキーストンプレートを用いることも、もちろん可能である。【００４７】  図７において、ポールガイド金具５９は略直方体の形状をして、ガイドボックス６２には２個のローラー６０、６３が取付けられているが、ガイドボックス６２を丸棒で丸く形成することも、もちろん可能である。【００４８】  図７において、ガレージ５７を４本の柱６７を備えたオープンタイプで示したが、お客様の希望により、外壁と窓を取付けた小屋タイプのガレージを用いることも、もちろん可能である。
【図面の簡単な説明】
【００４９】
【図１】この発明の実施の形態に係る、基礎構造物の上部に載せた浮力室の上部の駐車場に自動車を駐車し、前席に取付けられたシートベルトで自動車を浮力室に固定した状態を示す。
【図２】同実施の形態に係る、図１で説明した浮力室の上部の駐車場に自動車を駐車し、スロープを取付けた状態を立体図で示す。
【図３】同実施の形態に係る、図２で説明した自動車内部のシートベルトが浮力室の上部の駐車場床鋼板に固定され、シートベルトのたるみを取り除いた状態を示す。
【図４】同実施の形態に係る、シートベルトのたるみを取り除くための、ウェビングたるみ巻取り装置を正面図と側面図で示す。
【図５】同実施の形態に係る、図４で説明した、たるみ巻取り装置を立体図で示す。
【図６】同実施の形態に係る、図２で説明した浮力室を分解図で示す。
【図７】同実施の形態に係る、図２で説明した浮力室の上部にガレージを取付けると共に、ガレージの四隅にポールを構築し、ガレージの四隅の柱のポールに対置する位置の上下２箇所にポール用のガイド金具を取付けた状態を立体図で示す。
【図８】同実施の形態に係る、図７で説明したガレージが大津波の上に浮き上がった状態を立体図で示す。
【図９】この発明の実施の形態２に係る、浮力室と駐車場を分解図で示す。
【図１０】同実施の形態に係る、浮力室と駐車場を立体図で示す。
【符号の説明】
【００５０】１                  自動車
２                  ウェビング（ストラップ）
３                  タングプレート（Ｔ字型の金具）
４                  取付金物（リングキャッチ）
５                  固定金具
６                  駐車場床鋼板
７                  浮力室
８                  基礎構造物
９                  鋼板
１３                浮力室前部
１４                浮力室後部
１５                ドア
１６                スロープ
２０                ショルダーベルト・アンカー
２１                ウェビングたるみ巻取り装置
２２                リトラクター（ベルト巻取り装置）
２３                ウェビング（ストラップ）取付部
２４                座席
２５                バックル
２６                人間
３１                矢印
３２                逆回転防止ストッパー
３３                ストッパー解除リング
３４                スプリング
３５                軸
３６                ウェビング挿入口
３７                台座
３８                手持ち固定部
３９                取付板
４０                ウェビング巻込ローラー
４１                逆回転防止ギア
４２                グリップ
４３                回転ハンドル
４４                グリップ付ローラー部
４５                手
５１                Ｈ形鋼
５２                発泡スチロール
５３                上部梁
５４                床梁
５５                支柱
５６                下部梁
５７                ガレージ
５８                ポール
５９                ポールガイド金具
６０                ローラー
６１                取付板
６２                ガイドボックス
６３                ローラー
６４                穴
６６                基礎構造物
６７                柱
６８                水面
７１                浮力室
７２                駐車場床木材（ツーバイフォー）
７３                バッテリー・船外機収納庫穴
７４                船外機取付用金物
７５                横押え鋼板
７６                横押え鋼板
７７                スロープ
７８                発泡スチロール
７９                木材（ツーバイフォー）
８０                木材（ツーバイフォー）
８１                横押え鋼板
８２                底鋼板（キーストンプレート）
８３                横押え鋼板
８４                船外機
８５                バッテリー・船外機収納庫
８６                固定金物
【図１】
2015074437.tif 000003
【図２】
2015074437.tif 000004
【図３】
2015074437.tif 000005
【図４】
2015074437.tif 000006
【図５】
2015074437.tif 000007
【図６】
2015074437.tif 000008
【図７】
2015074437.tif 000009
【図８】
2015074437.tif 000010
【図９】
2015074437.tif 000011
【図１０】
2015074437.tif 000012